(57)【要約】【課題】消費電力を低減でき、且つ所定エリアで特定の応用プログラムの起動を禁止できる携帯式無線通信装置を提供すること。【解決手段】携帯式無線通信装置が開かれると、プロセッサは測位機能をシャットダウンし、ユーザが入力モジュールを介してある応用プログラムを起動するための信号を入力した場合、プロセッサは、起動されようとする応用プログラムが制限応用プログラムに属するかどうかを判断し、起動されようとする応用プログラムが制限応用プログラムに属する場合、プロセッサは測位機能を起動して、携帯式無線通信装置の現在地理的位置を獲得し、且つ通信モジュールをサーバに接続させることで、現在地理的位置を含む要求指令をサーバに送信し、また、プロセッサは、サーバによりフィードバックされた情報に基づいて、起動されようとする応用プログラムが現在地理的位置にマッチングするかどうかを確定する。【選択図】図１
2014023148.tif 000002
【特許請求の範囲】
【請求項１】
プロセッサと、入力モジュールと、複数の応用プログラムが格納されたメモリーと、サーバと通信する通信モジュールと、携帯式無線通信装置の地理的位置を獲得して、携帯式無線通信装置に対して自身の位置を確定する測位機能を付与する地理的位置情報モジュールと、を備える携帯式無線通信装置であって、
携帯式無線通信装置が開かれると、前記プロセッサは前記測位機能をシャットダウンし、ユーザが前記入力モジュールを介してある応用プログラムを起動するための信号を入力した場合、プロセッサは、起動されようとする応用プログラムが制限応用プログラムに属するかどうかを判断し、前記起動されようとする応用プログラムが制限応用プログラムに属する場合、プロセッサは前記測位機能を起動して、携帯式無線通信装置の現在地理的位置を獲得し、且つ前記通信モジュールを前記サーバに接続させることで、前記現在地理的位置を含む要求指令を前記サーバに送信し、
前記プロセッサは、前記サーバによりフィードバックされた情報に基づいて、前記起動されようとする応用プログラムが前記現在地理的位置にマッチングするかどうかを確定し、前記起動されようとする応用プログラムと前記現在地理的位置とが互いにマッチングしている場合、前記プロセッサは前記起動されようとする応用プログラムを起動することを特徴とする携帯式無線通信装置。
【請求項２】
前記プロセッサは、前記携帯式無線通信装置の運行されている応用プログラムを監視し、前記運行されているプログラムが何れも前記制限応用プログラムに属しない場合、前記プロセッサは前記測位機能をシャットダウンし、且つ前記携帯式無線通信装置と前記サーバとの接続を切断することを特徴とする請求項１に記載の携帯式無線通信装置。
【請求項３】
前記プロセッサは、前記携帯式無線通信装置の運行されている応用プログラムを監視し、前記運行されているプログラムは前記制限応用プログラムを含む場合、前記制限応用プログラムが前記携帯式無線通信装置の現在地理的位置にマッチングするかどうかをリアルタイムに測定するために、前記プロセッサは、前記携帯式無線通信装置と前記サーバとの接続関係を維持し、且つ前記測位機能を起動することを特徴とする請求項１に記載の携帯式無線通信装置。
【請求項４】
前記サーバのフィードバック情報は、前記携帯式無線通信装置の現在地理的位置にマッチングしているあらゆる応用プログラムのリストを含むことを特徴とする請求項１に記載の携帯式無線通信装置。
【発明の詳細な説明】
【技術分野】
【０００１】
本発明は、携帯式無線通信装置に関し、特に所定エリアにおいて特定の応用プログラムの起動を禁止することができる携帯式無線通信装置に関するものである。
【背景技術】
【０００２】
ある企業においては、実験室等の外部に漏洩できないエリアに対して、写真／映像の撮影が禁止されている。従って、このエリアに出入りする出入者の携帯電話機等を管制して漏洩を防止する。
【０００３】
そこで、某メーカーにより、近年ＧＰＳ測位機能を有する携帯電話機において、ソフトウェアのプログラムをインストールして、携帯電話機が特定のエリアに入った後、サーバを介して前記携帯電話機に制御指令を送信することにより、前記携帯電話機の所定の機能モジュールの起動を禁止するという方法が出されている。
【０００４】
しかし、上記の方法は、携帯電話機が常にオンライン状態でなければならず、且つＧＰＳ測位機能を長時間開いていなければならないため、携帯電話機の電力消費量を大幅に増加させる。
【発明の概要】
【発明が解決しようとする課題】
【０００５】
以上の問題点に鑑みて、本発明は、消費電力を低減でき、且つ所定エリアで特定の応用プログラムの起動を禁止することができる携帯式無線通信装置を提供することを目的とする。
【課題を解決するための手段】
【０００６】
上記の課題を解決するために、本発明に係る携帯式無線通信装置は、プロセッサと、入力モジュールと、複数の応用プログラムが格納されたメモリーと、サーバと通信する通信モジュールと、携帯式無線通信装置の地理的位置を獲得して、携帯式無線通信装置に対して自体位置を確定する測位機能を付与する地理的位置情報モジュールと、を備える。携帯式無線通信装置が開かれると、前記プロセッサは前記測位機能をシャットダウンし、ユーザが前記入力モジュールを介してある応用プログラムを起動するための信号を入力した場合、プロセッサは、起動されようとする応用プログラムが制限応用プログラムに属するかどうかを判断し、前記起動されようとする応用プログラムが制限応用プログラムに属する場合、プロセッサは、前記測位機能を起動して、携帯式無線通信装置の現在地理的位置を獲得し、且つ前記通信モジュールを前記サーバに接続させることで、前記現在地理的位置を含む要求指令を前記サーバに送信する。前記プロセッサは、前記サーバによりフィードバックされた情報に基づいて、前記起動されようとする応用プログラムが前記現在地理的位置にマッチングするかどうかを確定し、前記起動されようとする応用プログラムと前記現在地理的位置とが互いにマッチングしている場合、前記プロセッサは前記起動されようとする応用プログラムを起動する。
【発明の効果】
【０００７】
従来の技術とは異なり、本発明は、制限がない応用プログラムが運行されている時に、携帯式無線通信装置の測位機能及び該携帯式無線通信装置とサーバとの接続をシャットダウンさせる。これにより、携帯式無線通信装置の消費電力を大きく低減させることができる。
【図面の簡単な説明】
【０００８】
【図１】本発明の携帯式無線通信装置の機能モジュール及び運行環境を示す図である。
【図２】本発明の携帯式無線通信装置のメモリーを示す図である。
【発明を実施するための形態】
【０００９】
図１及び図２に示すように、本発明の携帯式無線通信装置１００は、プロセッサ１０と、メモリー２０と、入力モジュール３０と、地理的位置情報モジュール４０と、通信モジュール５０と、を備える。また、携帯式無線通信装置１００は、ネットワーク２００を介してサーバ３００と通信することができる。
【００１０】
メモリー２０には、複数の応用プログラムが格納されている。本実施形態において、前記複数の応用プログラムは、汎用応用プログラム６０及び制限応用プログラム７０との２種類に分けられる。汎用応用プログラム６０は、応用プログラムの使用の際、地理的位置の使用制限を受けない。制限応用プログラム７０は、応用プログラムにおいて特定のエリアのみで使用可能であり、特定のエリア以外での使用は許可されない。
【００１１】
携帯電話機を例として説明すると、漏洩できないエリアにおいて、携帯電話機のカメラ応用プログラム及び撮影応用プログラムを制限応用プログラム７０に設定し、携帯電話機のメール応用プログラムを汎用応用プログラム６０に設定する。これにより、漏洩できないエリア内において、ユーザは、前記携帯電話機のカメラ応用プログラム及び撮影応用プログラムを起動して、写真／映像を撮影することはできない。しかし、メール応用プログラムを介して携帯メールを送受信することはできる。
【００１２】
入力モジュール３０は、ユーザの入力操作を受信するために用いられる。プロセッサ１０は、入力モジュール３０が受信した入力信号に基づいて、対応する操作を実行する。地理的位置情報モジュール４０は、携帯式無線通信装置１００の地理的位置を獲得して、携帯式無線通信装置１００に対して自身の位置を確定する測位機能を付与する。本実施形態において、地理的位置情報モジュール４０は、ＧＰＳ衛星信号を受信し、且つ該衛星信号を処理することにより、携帯式無線通信装置１００の地理的位置を確定する。通信モジュール５０は、サーバ３００と無線通信を行なうために用いられる。
【００１３】
本発明において、携帯式無線通信装置１００が開かれると、プロセッサ１０は、携帯式無線通信装置１００の測位機能をシャットダウンする。即ち、プロセッサ１０は、地理的位置情報モジュール４０の起動を禁止する。ユーザが入力モジュール３０を介して、ある応用プログラムを起動するための信号を入力した場合、プロセッサ１０は、起動されようとする応用プログラムが制限応用プログラム７０に属するかどうかを判断する。前記起動されようとする応用プログラムが制限応用プログラム７０に属する場合、プロセッサ１０は、前記測位機能を起動して、携帯式無線通信装置１００の現在地理的位置を獲得し、且つ通信モジュール５０をサーバ３００に接続させることで、前記現在地理的位置を含む要求指令をサーバ３００に送信する。さらに、プロセッサ１０は、サーバ３００によりフィードバックされた情報に基づいて、前記起動されようとする応用プログラムが前記現在地理的位置にマッチングするかどうかを確定する。前記起動されようとする応用プログラムと前記現在地理的位置とが互いにマッチングする場合、プロセッサ１０は前記起動されようとする応用プログラムを起動する。
【００１４】
また、上記の実施形態において、サーバ３００のフィードバック情報は、携帯式無線通信装置１００の現在地理的位置にマッチングしているあらゆる応用プログラムのリストを含む。プロセッサ１０は、前記リストに基づいて前記起動されようとする応用プログラムが前記現在地理的位置にマッチングするかどうかを確定する。
【００１５】
また、上記の実施形態において、プロセッサ１０は、携帯式無線通信装置１００の運行されている応用プログラムを監視する。前記運行されているプログラムが何れも制限応用プログラム７０に属しない場合、プロセッサ１０は携帯式無線通信装置１００の測位機能をシャットダウンし、且つ携帯式無線通信装置１００とサーバ３００との接続を切断する。
【００１６】
また、上記の実施形態において、プロセッサ１０は、携帯式無線通信装置１００の運行されている応用プログラムを監視する。前記運行されているプログラムの中に制限応用プログラム７０がある場合、プロセッサ１０は、携帯式無線通信装置１００とサーバ３００との接続関係を維持し、且つ前記測位機能を起動することで、前記制限応用プログラム７０が携帯式無線通信装置１００の現在地理的位置にマッチングするかどうかをリアルタイムに測定する。前記制限応用プログラム７０が携帯式無線通信装置１００の現在地理的位置にマッチングしない場合、プロセッサ１０は前記制限応用プログラム７０をシャットダウンする。
【００１７】
また、上記の実施形態において、携帯式無線通信装置１００がスリープモードにある場合、消費電力を節約するために、プロセッサ１０は、携帯式無線通信装置１００の測位機能をシャットダウンし、且つ携帯式無線通信装置１００とサーバ３００との接続を切断する。
【００１８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１９】
１０      プロセッサ
２０      メモリー
３０      入力モジュール
４０      地理的位置情報モジュール
５０      通信モジュール
６０      汎用応用プログラム
７０      制限応用プログラム
１００    携帯式無線通信装置
２００    ネットワーク
３００    サーバ  
【図１】
2014023148.tif 000003
【図２】
2014023148.tif 000004